(57)【特許請求の範囲】
【請求項１】
第１回路部と第２回路部とを互いに通信可能に接続して構成され、
前記第１回路部は、主回路として、放送信号を受信するための受信回路及びＰＬＬ回路を具え、付属回路として、放送信号に多重されているデータを抽出するためのデータ抽出回路を主回路に対して少なくとも１つ選択的に装備することが可能であり、
前記第２回路部は、少なくとも前記ＰＬＬ回路の動作を制御するマイクロコンピュータを具え、該マイクロコンピュータには、放送信号から抽出されたデータを処理するためのデータ処理機能が設定され、及び前記第１回路部に実際に装備されている前記データ抽出回路に応じて、必要なデータ処理機能が選択設定されて、
複数の仕様に対応することが可能な電子機器において、
前記マイクロコンピュータは、
前記データ抽出回路の有無を検出するための信号を前記ＰＬＬ回路へ送信する信号送信手段を備え、
該信号送信手段から送信された信号を受信した前記ＰＬＬ回路は、前記データ抽出回路から該データ抽出回路の有無を表す信号を前記マイクロコンピュータに出力させ、
この出力された信号に応じて前記マイクロコンピュータは、前記第１回路部に装備されている前記データ抽出回路を認識し、前記第１回路部に装備されている前記データ抽出回路についてのデータ処理機能を有効化する一方、前記第１回路部に装備されていない前記データ抽出回路についてのデータ処理機能は無効化することを特徴とする複数仕様対応型電子機器。
【請求項２】
前記受信回路が受信する放送信号はＡＭバンドとＦＭバンドの放送信号であり、前記データ抽出回路が放送信号から抽出するデータは、ＦＭ多重放送波に多重されているデータであって、
前記マイクロコンピュータによって構成される前記信号送信手段は、電源投入後に、前記ＰＬＬ回路へＡＭバンド設定のための信号を送信し、前記データ抽出回路のデータ出力端子の出力レベルに応じて、データ処理機能を有効化若しくは無効化する請求項１に記載の複数仕様対応型電子機器。
【請求項３】
前記第２回路部は、ＦＭ多重放送波から抽出されたデータを表示するためのディスプレイを具え、前記マイクロコンピュータに設定されたデータ処理機能はＦＭ多重放送から抽出されたデータを前記ディスプレイに表示するための機能である請求項２に記載の複数仕様対応型電子機器。
【請求項４】
前記データ抽出回路のデータ出力端子は、前記マイクロコンピュータのデータ入力端子に接続されると共に、プルアップ抵抗を介して電源に接続されており、前記マイクロコンピュータは、前記データ入力端子がハイレベルのとき、データ処理機能を有効化し、前記データ入力端子がローレベルのとき、データ処理機能を無効化する請求項２及び請求項３に記載の複数仕様対応型電子機器。
【請求項５】
前記データ抽出回路は、前記ＰＬＬ回路がＡＭバンドに設定されたときにハイとなる信号の入力端子と、該入力端子がハイとなったときにオープンとなるデータ出力端子とを具えている請求項２又は請求項３に記載の複数仕様対応型電子機器。
【発明の詳細な説明】
【０００１】
【発明の属する技術分野】
本発明は、オーディオ機器等の各種電子機器において、例えば仕向け地に応じて異なる仕様を設定するべく、全ての仕様を実現するために必要な１或いは複数の機能を予め設定しておき、仕向け地毎に、必要な機能は有効化する一方、不要な機能は無効化する様に構成されている複数仕様対応型の電子機器に関するものである。
【０００２】
【従来の技術】
従来、ＲＤＳ(Radio Data System)と称されるＦＭ多重放送システムによる放送波の受信が可能なオーディオ機器が知られており、この種オーディオ機器においては、ＲＤＳが導入されている国と、ＲＤＳが導入されていない国に応じて、仕様を変える必要がある。
即ち、ＲＤＳが導入されている国に仕向けられるオーディオ機器においては、図４に示す如くチューナ部(10)にＲＤＳデータ抽出回路(50)を設けると共に、チューナ部(10)の動作を制御するマイクロコンピュータ(20)には、チューナ部(10)のＲＤＳデータ抽出回路(50)から得られるデータをディスプレイ(図示省略)に表示するためのキー入力受付け機能やデータ表示機能(以下、データ処理機能と総称する)を設定する必要がある。
これに対し、ＲＤＳが導入されていない国に仕向けられるオーディオ機器においては、チューナ部(10)にＲＤＳデータ抽出回路(50)の装備は不要であると共に、マイクロコンピュータ(20)に前記データ処理機能を設定する必要はない。
【０００３】
ところが、チューナ部(10)からＲＤＳデータ抽出回路(50)等の不要な回路を省略することは容易であるが、マイクロコンピュータ(20)は一連のコンピュータプログラムによって動作するものであるから、一部のデータ処理機能のみを省略することが困難である。
そこで従来は、図４に示す如く、マイクロコンピュータ(20)に、ＲＤＳ対応／非対応仕様を含む複数の仕様に対応させて複数の仕様選択端子(21)を設けると共に、選択した仕様を認識するための選択入力端子(23)を設け、仕向け地に応じて対応すべき仕様についての仕様選択端子(21)を、ダイオード(22)を介して選択入力端子(23)に接続することによって、マイクロコンピュータ(20)に予め設定されている複数のデータ処理機能の中から、必要なデータ処理機能は有効化し、不要なデータ処理機能は無効化することが行なわれている。
【０００４】
【発明が解決しようとする課題】
しかしながら、図４に示す仕様選択端子(21)、ダイオード(22)及び選択入力端子(23)を用いた仕様対応方式では、１或いは複数のダイオード(22)が必要となって、装置構成が複雑となるばかりでなく、マイクロコンピュータ(20)と共にプリント基板上に搭載すべきダイオード(22)の数や位置が仕向け地毎に異なるため、プリント基板の種類が増えて、製造工程が複雑となる問題があった。
【０００５】
そこで本発明の目的は、装置構成や製造工程を複雑化することなく、複数の仕様に対応させることが可能な電子機器を提供することである。
【０００６】
【課題を解決するための手段】
本発明に係る複数仕様対応型電子機器は、第１回路部と第２回路部とを互いに通信可能に接続して構成され、前記第１回路部は、主回路として、放送信号を受信するための受信回路及びＰＬＬ回路を具え、付属回路として、放送信号に多重されているデータを抽出するためのデータ抽出回路を主回路に対して少なくとも１つ選択的に装備することが可能であり、前記第２回路部は、少なくとも前記ＰＬＬ回路の動作を制御するマイクロコンピュータを具え、該マイクロコンピュータには、放送信号から抽出されたデータを処理するためのデータ処理機能が設定され、及び前記第１回路部に実際に装備されている前記データ抽出回路に応じて、必要なデータ処理機能が選択設定されて、複数の仕様に対応することが可能な電子機器において、前記マイクロコンピュータは、前記データ抽出回路の有無を検出するための信号を前記ＰＬＬ回路へ送信する信号送信手段を備え、該信号送信手段から送信された信号を受信した前記ＰＬＬ回路は、前記データ抽出回路から該データ抽出回路の有無を表す信号を前記マイクロコンピュータに出力させ、この出力された信号に応じて前記マイクロコンピュータは、前記第１回路部に装備されている前記データ抽出回路を認識し、前記第１回路部に装備されている前記データ抽出回路についてのデータ処理機能を有効化する一方、前記第１回路部に装備されていない前記データ抽出回路についてのデータ処理機能は無効化する。
【０００７】
上記本発明の複数仕様対応型電子機器においては、例えば仕向け地に応じて、第１回路部にデータ抽出回路が装備されている仕様と、第１回路部にデータ抽出回路が装備されていない仕様とが存在するが、第２回路部のマイクロコンピュータには、仕向け地に拘わらず、即ちデータ抽出回路の有無に拘わらず、データ抽出回路の装備によって必要となるデータ処理機能が予め設定されている。
【０００８】
説明の便宜上、第１回路に装備すべきデータ抽出回路が１つの場合を想定すると、本発明の電子機器に電源が投入された後、第２回路部が具えているマイクロコンピュータ中の信号送信手段は、データ抽出回路の有無を検出するための信号を第１回路部のＰＬＬ回路へ送信する。これに応じて第１回路部のＰＬＬ回路は、データ抽出回路に該データ抽出回路の有無に応じて異なる信号を第２回路部のマイクロコンピュータに送信させる。該信号を受信した第２回路部のマイクロコンピュータは、該信号に基づいてデータ抽出回路の有無及び種類を認識し、データ抽出回路が装備されているときは、そのデータ抽出回路に対応するデータ処理機能を有効化する一方、データ抽出回路が装備されていないときは該データ処理機能を無効化する。
【０００９】
具体的構成において、受信回路が受信する放送信号はＡＭバンドとＦＭバンドの放送信号であり、データ抽出回路が放送信号から抽出するデータは、ＦＭ多重放送波に多重されているデータであって、マイクロコンピュータによって構成される前記信号送信手段は、電源投入後に、前記ＰＬＬ回路へＡＭバンド設定のための信号を送信し、データ抽出回路のデータ出力端子の出力レベルに応じて、データ処理機能を有効化若しくは無効化する。
又、第２回路部は、ＦＭ多重放送波から抽出されたデータを表示するためのディスプレイを具え、マイクロコンピュータに設定されたデータ処理機能はＦＭ多重放送から抽出されたデータをディスプレイに表示するための機能である。
【００１０】
又、データ抽出回路(５)のデータ出力端子(53)は、マイクロコンピュータ(７)のデータ入力端子(71)に接続されると共に、プルアップ抵抗(６)を介して電源に接続されており、マイクロコンピュータ(７)は、データ入力端子(71)がハイレベルのとき、データ処理機能を有効化し、データ入力端子(71)がローレベルのとき、データ処理機能を無効化する。
【００１１】
更に、データ抽出回路(５)は、ＰＬＬ回路(４)がＡＭバンドに設定されたときにハイとなる信号の入力端子(52)と、該入力端子(52)がハイとなったときにオープンとなるデータ出力端子(53)とを具えている。
【００１２】
上記具体的構成においては、第１回路部にデータ抽出回路が装備されている場合、第２回路部のマイクロコンピュータは、電源投入に応じて、先ず第１回路部のＰＬＬ回路へＡＭバンド設定のための信号を送信する。ＰＬＬ回路は該信号を受信して、データ抽出回路の入力端子にハイの信号を入力し、これに応じてデータ抽出回路のデータ出力端子はオープンとなる。ここで、データ出力端子はハイレベルにプルアップされているので、第２回路部のマイクロコンピュータのデータ入力端子には、ハイレベルのデータが入力されることになり、この結果、マイクロコンピュータのデータ処理機能が有効化される。
【００１３】
これに対し、第１回路部にデータ抽出回路が装備されていない場合、第２回路部のマイクロコンピュータは、電源投入に応じて、第１回路部のＰＬＬ回路へＡＭバンド設定のための信号を送信するが、第１回路部にはデータ抽出回路が装備されていないため、第２回路部のマイクロコンピュータのデータ入力端子はプルアップされることなく、ローレベルとなっているので、マイクロコンピュータのデータ処理機能は無効化される。
【００１４】
【発明の効果】
本発明に係る複数仕様対応型電子機器によれば、従来の多重放送システムによる放送波の受信が可能な複数仕様対応型電子機器に設けられていた仕様選択端子、選択入力端子及びダイオードは不要となるので、装置構成や製造工程を複雑化することなく、放送信号から抽出されたデータを処理するためのデータ処理機能の有効化、無効化を行うことができる。
以上
【００１５】
【発明の実施の形態】
以下、本発明をＲＤＳ対応型のオーディオ機器に実施した形態につき、図面に沿って具体的に説明する。
本発明に係るオーディオ機器は、図１及び図２に示す如く、ＦＭ多重放送の受信が可能なチューナ部(１)と、チューナ部(１)の動作を制御するコントロール部(２)とを具え、チューナ部(１)には、受信回路(３)及びＰＬＬ回路(４)が装備され、コントロール部(２)には、マイクロコンピュータ(７)及びディスプレイ(８)が装備されている。
【００１６】
又、仕向け地に応じて、図１の如くチューナ部(１)にＲＤＳデータ抽出回路(５)が装備されているもの(ＲＤＳ対応仕様)と、図２の如くチューナ部(１)にＲＤＳデータ抽出回路が装備されていないもの(ＲＤＳ非対応仕様)とがある。
但し、マイクロコンピュータ(７)には、仕向け地に拘わらず、ＲＤＳデータをディスプレイ(８)に表示するためのデータ処理機能が予め設定されている。
【００１７】
チューナ部(１)の受信回路(３)は、フロントエンド部、中間周波増幅部、ＦＭ検波回路等から構成され、ユーザ操作などに応じて受信周波数をＦＭバンドとＡＭバンドの間で切り換えるためのＦＭ／ＡＭ切換え端子(31)と、後段のスピーカ(図示省略)へ音声信号を出力する音声出力端子(32)と、ＦＭ多重信号を出力するマルチプレックス信号出力端子(33)とを具えている。
又、ＰＬＬ回路(４)は、コントロール部(２)のマイクロコンピュータ(７)による制御によってＡＭバンドが設定されたときにハイとなるＡＭバンドオン端子(41)を具えている。
【００１８】
更に、ＲＤＳデータ抽出回路(５)は、ＦＭ多重信号を入力すべきマルチプレックス信号入力端子(51)と、ＡＭバンド設定時にＲＤＳデータ抽出回路(５)の水晶発振を停止させるべくハイ(“１”)となるスタンバイ制御信号を入力すべきテスト入力端子(52)と、ＦＭ多重信号から抽出したＲＤＳデータを出力するＲＤＳデータ出力端子(53)とを具えており、ＲＤＳデータ出力端子(53)は、プルアップ抵抗(６)を介して電源Ｖccに接続されている。
更に又、コントロール部(２)のマイクロコンピュータ(７)は、ＲＤＳデータを入力すべきＲＤＳデータ入力端子(71)を具えている。
【００１９】
そして、受信回路(３)のマルチプレックス信号出力端子(33)はＲＤＳデータ抽出回路(５)のマルチプレックス信号入力端子(51)に接続され、ＰＬＬ回路(４)のＡＭバンドオン端子(41)は、受信回路(３)のＦＭ／ＡＭ切換え端子(31)とＲＤＳデータ抽出回路(５)のテスト入力端子(52)に接続されている。
又、ＲＤＳデータ抽出回路(５)のＲＤＳデータ出力端子(53)はマイクロコンピュータ(７)のＲＤＳデータ入力端子(71)に接続されている。
尚、図２の如くチューナ部(１)にＲＤＳデータ抽出回路が装備されていない仕様では、マイクロコンピュータ(７)のＲＤＳデータ入力端子(71)は、チューナ部(１)の内部にて接地されている。
【００２０】
図３は、電源投入時に前記マイクロコンピュータ(７)が実行する手続きを表わしており、先ずステップＳ１にて、チューナ部(１)のＰＬＬ回路(４)へＡＭバンド設定のための制御信号を供給し、その後、ステップＳ２にて、ＲＤＳデータ入力端子(71)がハイ(“Ｈ”)となったか否かが判断される。
【００２１】
ここで、図１の如くチューナ部(１)にＲＤＳデータ抽出回路(５)が装備されているときは、ＰＬＬ回路(４)のＡＭバンドオン端子(41)がハイとなって、ハイのデータ(“１”)が、受信回路(３)のＦＭ／ＡＭ切換え端子(31)及びＲＤＳデータ抽出回路(５)のテスト入力端子(52)へ入力されている。これに応じて、ＲＤＳデータ抽出回路(５)は、水晶発振を停止させると共に、ＲＤＳデータ出力端子(53)をオープンの状態に設定する。
この結果、ＲＤＳデータ出力端子(53)はプルアップによってハイレベルとなり、マイクロコンピュータ(７)のＲＤＳデータ入力端子(71)にハイのデータが入力される。
【００２２】
これに対し、図２の如くチューナ部(１)にＲＤＳデータ抽出回路が装備されていないときは、ＰＬＬ回路(４)のＡＭバンドオン端子(41)がハイとなって、ハイのデータが、受信回路(３)のＦＭ／ＡＭ切換え端子(31)へ入力されるが、マイクロコンピュータ(７)のＲＤＳデータ入力端子(71)は接地されているため、ローに維持される。
【００２３】
そこで、図３のステップＳ２では、ＲＤＳデータ入力端子(71)がハイ(“Ｈ”)であるか否かを判断し、ここでイエスと判断されたときはステップＳ３に移行して、ＲＤＳ機能を有効化し、ノーと判断されたときはステップＳ４に移行して、ＲＤＳ機能を無効化するのである。
この結果、チューナ部(１)にＲＤＳデータ抽出回路(５)が装備されているときは、マイクロコンピュータ(７)において、ＲＤＳデータ抽出回路(５)から得られるＲＤＳデータをディスプレイ(８)に表示するためのデータ処理が実行され、チューナ部(１)にＲＤＳデータ抽出回路が装備されていないときは、ＲＤＳデータをディスプレイ(８)に表示するためのデータ処理が省略されて、データ表示のためのキー入力受付け機能やデータ表示機能が省略されることになる。
【００２４】
上述の如く、本発明に係るオーディオ機器によれば、従来の機器に設けられていた仕様選択端子、選択入力端子及びダイオードは不要となるので、装置構成や製造工程を複雑化することなく、ＲＤＳ対応仕様とＲＤＳ非対応仕様のオーディオ機器を容易に構成することが出来る。
【００２５】
尚、本発明の各部構成は上記実施の形態に限らず、特許請求の範囲に記載の技術的範囲内で種々の変形が可能である。例えば、上記実施例では、ＲＤＳ対応仕様とＲＤＳ非対応仕様の２つの仕様を対象として、マイクロコンピュータ(７)のデータ処理機能の有効化／無効化を実現したが、サラウンド機能の有効化／無効化等を含む更に多くの仕様に対応することも可能である。
【図面の簡単な説明】
【図１】本発明に係るオーディオ機器において、チューナ部にＲＤＳデータ抽出回路が装備されている場合の構成を表わすブロック図である。
【図２】本発明に係るオーディオ機器において、チューナ部にＲＤＳデータ抽出回路が装備されていない場合の構成を表わすブロック図である。
【図３】マイクロコンピュータの制御手続きを表わすフローチャートである。
【図４】従来のオーディオ機器の構成を表わすブロック図である。
【符号の説明】
(１)  チューナ部
(２)  コントロール部
(３)  受信回路
(31)  ＦＭ／ＡＭ切換え端子
(32)  音声出力端子
(33)  マルチプレックス信号出力端子
(４)  ＰＬＬ回路
(41)  ＡＭバンドオン端子
(５)  ＲＤＳデータ抽出回路
(51)  マルチプレックス信号入力端子
(52)  テスト入力端子
(53)  ＲＤＳデータ出力端子
(６)  プルアップ抵抗
(７)  マイクロコンピュータ
(71)  ＲＤＳデータ入力端子
(８)  ディスプレイ
【図１】
0003759575.tif 000002
【図２】
0003759575.tif 000003
【図３】
0003759575.tif 000004
【図４】
0003759575.tif 000005